(57)【要約】      （修正有）【課題】簡易な構成によって、確実に接続及び水密ができると共に、止水栓部が所定の角度位置で保持されるように制限されて回動できる給水栓を提供する。【解決手段】給水管１０に、接続管部材２０の一端部が挿入されて接続及び水密がなされるように、雌ねじ部１２と水密部１３とを備える接続口部１１が設けられ、接続管部材２０の一端部２１に雌ねじ部１２に螺合する雄ねじ部２２が設けられると共に、接続管部材の一端部２１の雄ねじ部２２が設けられていない周面２１ａに一周未満の所要角度範囲で被係合周溝２３が設けられ、その被係合周溝２３に先端部が挿入されて接続管部材２０の所要角度範囲での回動を許容して係合するように、給水管１０の接続口部１１を形成する周壁部から接続口部１１内へ先端部が突起するように装着される係合部材３０を備える。【選択図】図５
2015086541.tif 000002
【特許請求の範囲】
【請求項１】
水道管を一例とする水を供給する給水管、該給水管に回動可能に接続される接続管部材、及び該接続管部材の水の出口側へ接続される止水栓部を構成要素とする給水栓であって、
前記給水管に、前記接続管部材の一端部が挿入されて接続及び水密がなされるように、雌ねじ部と水密部とを備える接続口部が設けられ、
前記接続管部材の一端部に前記雌ねじ部に螺合する雄ねじ部が設けられると共に、該接続管部材の一端部の前記雄ねじ部が設けられていない周面に一周未満の所要角度範囲で被係合周溝が設けられ、
該被係合周溝に先端部が挿入されて前記接続管部材の所要角度範囲でのみの回動を許容して係合するように、前記給水管の前記接続口部を形成する周壁部から前記接続口部内へ前記先端部が突起するように装着される係合部材を備えることを特徴とする給水栓。
【請求項２】
前記給水管の前記接続口部の前記係合部材が装着される部位よりも奥側に雌ねじ部が設けられ、前記接続管部材の前記雄ねじ部よりも前記接続口部の口もと側の前記係合部材が装着される部位に対応する該接続管部材の周面に前記被係合周溝が設けられていることを特徴とする請求項１記載の給水栓。
【請求項３】
前記給水管と前記接続管部材との水密が、前記雌ねじ部と前記雄ねじ部が螺合した部分よりも前記接続口部の口もと側の位置であって、前記被係合周溝の奥側及び口もと側のそれぞれの部位に配されたＯ−リングによってなされていることを特徴とする請求項２のいずれかに記載の給水栓。
【請求項４】
前記接続管部材がＬ字状の水路を形成するように設けられたエルボ管であることを特徴とする請求項１〜３のいずれかに記載の給水栓。
【請求項５】
前記給水管が、水道管の本管側へ上下方向に接続されると共に水の出口側である前記接続口部が水平方向を向くようにＬ字状の水路を形成するエルボ接続継手を備えて構成され、前記エルボ管が接続されていることを特徴とする請求項４記載の給水栓。
【請求項６】
前記係合部材が、前記接続口部を形成する周壁部に設けられた貫通ねじ部に螺合されて、前記接続口部内へ先端部が突起できるねじ部材であることを特徴とする請求項１〜５のいずれかに記載の給水栓。
【請求項７】
前記給水栓が、散水に用いられるもので、散水を行わないときは折り畳んだ状態で、地面に埋められた収納ボックス内に収納されるように、前記接続管部材の前記止水栓部側が起立状態と水平に倒れた状態の間で回動可能に前記被係合周溝の角度範囲が設定されていることを特徴とする請求項１〜６のいずれかに記載の給水栓。
【請求項８】
前記収納ボックス側に設けられた被係合切欠き部に、前記止水栓部側の直管部が嵌り込むことで前記止水栓部側の管路が起立した状態を維持できるように設けられ、前記止水栓部側の直管部が前記被係合切欠き部に確実に嵌り込むように該止水栓部側の直管部に環状弾性部材が巻かれた状態に配されていることを特徴とする請求項７記載の給水栓。
【発明の詳細な説明】
【技術分野】
【０００１】
本発明は、水道管を一例とする水を供給する給水管、該給水管に回動可能に接続される接続管部材、及び該接続管部材の水の出口側へ接続される止水栓部を構成要素とする給水栓に関する。
【背景技術】
【０００２】
従来、接続配管にあっては、例えば、給水ソケットと、キャップと、枝配管の部分に対応して複数に分割形成された通水筒とによりされている可動式分割型ヘッダー（特許文献１参照）について該通水筒が回動可能に設けられた構成が提案されている。これによれば、各通水筒の一端には雄ねじが設けられ、他端に雌ネジが設けられている。各通水筒は雄ねじと雌ねじとの螺入又は螺退により回動可能に連結されている。各通水筒の一端には環状溝が形成されるとともに他端にはビスが配設され、各通水筒を連結したとき、ビスが環状溝と係合することによって各通水筒の回動が規制されるように構成されている。
【０００３】
また、従来、Ｌ字状の管継手部材が回動自在に設けられたものとしては、例えば、後端側に配管接続口部を有する水平筒状第１管継手部材と、第１管継手部材にその前端側から回動可能に且つ前後移動可能に嵌め被せられた回動筒部、回動筒部前端からラジアル方向に延びた中空状アーム部およびアーム部先端に前方突出状に設けられた混合水栓接続口部よりなる第２管継手部材とを備え、回動筒部内周面に係合凸部が形成され、第１管継手部材外周面に係合凸部を収納する環状溝が形成されている混合水栓接続用管継手（特許文献２参照）が開示されている。
【０００４】
また、従来、連絡管が回動自在に設けられたものとしては、例えば、地下のマンホール内に設置され、外部から操作可能な弁を収容した弁箱と、上記弁箱と連通し消火用ホースと接続される接続管とを具備し、上記弁箱又は該弁箱に接続された連通管に連接され、水平軸まわりに回動可能な連絡管を具備する地下式消火栓（特許文献３参照）が開示されている。
【先行技術文献】
【特許文献】
【０００５】
【特許文献１】特開２０００−２３４６８３号公報（第１頁）
【特許文献２】特開２００６−１１８１１８号公報（第１頁）
【特許文献３】特開平１０−１４０６２４号公報（第１頁）
【発明の概要】
【発明が解決しようとする課題】
【０００６】
給水栓に関して解決しようとする課題は、従来の管路部材を回動可能に接続する構成にあっては、その管路部材の回動範囲が制限されておらず、所定の角度範囲において使用位置が規定されるような用途には、他の構成としてストッパーが必要になるなど、適切に対応できないことにある。
そこで、本発明の目的は、簡易な構成によって、確実に接続及び水密ができると共に、止水栓部が所定の角度位置で保持されるように制限されて回動できる給水栓を提供することにある。
【課題を解決するための手段】
【０００７】
本発明は上記目的を達成するために次の構成を備える。
本発明にかかる給水栓の一形態によれば、水道管を一例とする水を供給する給水管、該給水管に回動可能に接続される接続管部材、及び該接続管部材の水の出口側へ接続される止水栓部を構成要素とする給水栓であって、前記給水管に、前記接続管部材の一端部が挿入されて接続及び水密がなされるように、雌ねじ部と水密部とを備える接続口部が設けられ、前記接続管部材の一端部に前記雌ねじ部に螺合する雄ねじ部が設けられると共に、該接続管部材の一端部の前記雄ねじ部が設けられていない周面に一周未満の所要角度範囲で被係合周溝が設けられ、該被係合周溝に先端部が挿入されて前記接続管部材の所要角度範囲でのみの回動を許容して係合するように、前記給水管の前記接続口部を形成する周壁部から前記接続口部内へ前記先端部が突起するように装着される係合部材を備える。
【０００８】
また、本発明にかかる給水栓の一形態によれば、前記給水管の前記接続口部の前記係合部材が装着される部位よりも奥側に雌ねじ部が設けられ、前記接続管部材の前記雄ねじ部よりも前記接続口部の口もと側の前記係合部材が装着される部位に対応する該接続管部材の周面に前記被係合周溝が設けられていることを特徴とすることができる。
【０００９】
また、本発明にかかる給水栓の一形態によれば、前記給水管と前記接続管部材との水密が、前記雌ねじ部と前記雄ねじ部が螺合した部分よりも前記接続口部の口もと側の位置であって、前記被係合周溝の奥側及び口もと側のそれぞれの部位に配されたＯ−リングによってなされていることを特徴とすることができる。
【００１０】
また、本発明にかかる給水栓の一形態によれば、前記接続管部材がＬ字状の水路を形成するように設けられたエルボ管であることを特徴とすることができる。
また、本発明にかかる給水栓の一形態によれば、前記給水管が、水道管の本管側へ上下方向に接続されると共に水の出口側である前記接続口部が水平方向を向くようにＬ字状の水路を形成するエルボ接続継手を備えて構成され、前記エルボ管が接続されていることを特徴とすることができる。
【００１１】
また、本発明にかかる給水栓の一形態によれば、前記係合部材が、前記接続口部を形成する周壁部に設けられた貫通ねじ部に螺合されて、前記接続口部内へ先端部が突起できるねじ部材であることを特徴とすることができる。
【００１２】
また、本発明にかかる給水栓の一形態によれば、前記給水栓が、散水に用いられるもので、散水を行わないときは折り畳んだ状態で、地面に埋められた収納ボックス内に収納されるように、前記接続管部材の前記止水栓部側が起立状態と水平に倒れた状態の間で回動可能に前記被係合周溝の角度範囲が設定されていることを特徴とすることができる。
また、本発明にかかる給水栓の一形態によれば、前記収納ボックス側に設けられた被係合切欠き部に、前記止水栓部側の直管部が嵌り込むことで前記止水栓部側の管路が起立した状態を維持できるように設けられ、前記止水栓部側の直管部が前記被係合切欠き部に確実に嵌り込むように該止水栓部側の直管部に環状弾性部材が巻かれた状態に配されていることを特徴とすることができる。
【発明の効果】
【００１３】
本発明にかかる給水栓によれば、簡易な構成によって、確実に接続及び水密ができると共に、止水栓部が所定の角度位置で保持されるように制限されて回動できるという特別有利な効果を奏する。
【図面の簡単な説明】
【００１４】
【図１】本発明に係る給水栓の形態例の止水栓部を起立させた状態を示す斜視図である。
【図２】本発明に係る給水栓の形態例の止水栓部を水平に倒した状態を示す斜視図である。
【図３】図１の形態例の正面図である。
【図４】図１の形態例の左側面図である。
【図５】図３のＡ−Ａ線断面図である。
【図６】図５の状態から止水栓部を水平に倒した状態を示す断面図である。
【図７】図４のＢ−Ｂ線断面図である。
【図８】図７の状態から止水栓部を水平に倒した状態を示す断面図である。
【図９】本発明に係る給水栓の形態例が地面に埋められる収納ボックスに収納される状態を示す説明図である。
【発明を実施するための形態】
【００１５】
以下、本発明に係る給水栓の形態例を添付図面（図１〜９）と共に詳細に説明する。この給水栓は、水道管を一例とする水を供給する給水管１０、その給水管１０に回動可能に接続される接続管部材２０、及びその接続管部材２０の水の出口側へ接続される止水栓部５０を構成要素とする。なお、本形態例の止水栓部５０は、アングル形止水栓５１、その先端側に装着された地下散水栓ニップル５２、及びアングル形止水栓５１と接続管部材２０とを連結する直管部５３によって構成されている。
【００１６】
本発明では、給水管１０に、接続管部材２０の一端部が挿入されて接続及び水密がなされるように、雌ねじ部１２と水密部１３とを備える接続口部１１が設けられている。
また、接続管部材２０の一端部２１に前記雌ねじ部１２に螺合する雄ねじ部２２が設けられると共に、その接続管部材２０の一端部２１の雄ねじ部２２が設けられていない周面２１ａに一周未満の所要角度範囲で被係合周溝２３が設けられている。
【００１７】
そして、被係合周溝２３に先端部３１が挿入されて接続管部材２０の所要角度範囲でのみの回動を許容して係合するように、給水管１０の接続口部１１を形成する周壁部１１ａから接続口部１１内へ先端部３１が突起するように装着される係合部材３０を備える。この接続管部材２０の所要角度範囲での回動は、雌ねじ部１２と雄ねじ部２２とが螺合した状態によって許容されるものである。
【００１８】
また、被係合周溝２３の軸線方向の幅は、係合部材３０の幅（本形態例のようなねじ部材の場合はねじ軸の直径）の長さ分と、少なくとも接続管部材２０が許容される回動角度分に対応するねじピッチの長さ分とを合計した長さの幅となっているとよい。なお、接続管部材２０を給水管１０の接続口部１１内へ挿入して係合部材３０を装着する作業では、雌ねじ部１２へ雄ねじ部２２を最大にねじ込んだ状態からそのねじ込みを一回り（一回転）程度戻した状態としたところで、係合部材３０の先端部３１が被係合周溝２３内に挿入されて係合できるように、係合部材３０を貫通ねじ部１４にねじ込んで固定するとよい。また、以上のように挿入及び装着ができるように、給水管１０の接続口部１１と、接続管部材２０のそれぞれ構成が位置されていればよい。
【００１９】
これによれば、係合部材３０がストッパーとなって、接続管部材２０が所要角度範囲でのみの回動するように、その接続管部材２０の回動を適切に規制することができる。従って、本形態例のように、接続管部材２０の水の出口側へ接続される止水栓部５０を、鉛直に起立させる状態と水平に倒した状態との二つの形態で、交互に繰り返して位置させる用途において好適に利用することができる。すなわち、本発明によれば、簡易な構成でありながら、給水管１０と接続管部材２０とを確実に接続と水密ができ、接続管部材２０を所要の角度範囲で適切に回動できる。
【００２０】
また、本形態例では、給水管１０の接続口部１１の係合部材３０が装着される部位よりも奥側に雌ねじ部１２が設けられ、接続管部材２０の雄ねじ部２２よりも接続口部１１の口もと側の係合部材３０が装着される部位に対応する接続管部材２０の周面に被係合周溝２３が設けられている。
【００２１】
これによれば、雌ねじ部１２と雄ねじ部２２とによって水圧を適切に受けて、給水管１０と接続管部材２０の接続を、確実且つバランスよく適切にでき、水密性を向上させることができる。なお、２０ａは止水栓部５０側への連結部であり、接続管部材２０の水の出口側に設けられており、本形態例では直管部５３に連結される部分になっている。
【００２２】
また、本形態例では、給水管１０と接続管部材２０との水密が、雌ねじ部１２と雄ねじ部２２が螺合した部分よりも接続口部１１の口もと側の位置であって、被係合周溝２３の奥側及び口もと側のそれぞれの部位に配されたシールパッキンであるＯ−リング４０、４０によってなされている。これによれば、水密をより確実にすることができ、信頼性を向上できる。
【００２３】
また、本形態例の接続管部材２０は、Ｌ字状の水路を形成するように設けられたエルボ管２０である。従って、本形態例のような接続管部材２０の水の出口側へ止水栓部５０が接続され、鉛直に起立させる状態と水平に倒した状態に位置される散水用の給水栓などの用途に、効果的に適応できる。
【００２４】
さらに、本形態例の給水管１０が、水道管１０の本管側へ上下方向に接続されると共に水の出口側である接続口部１１が水平方向を向くようにＬ字状の水路を形成するエルボ接続継手１０ａを備えて構成され、その給水管１０を構成するエルボ接続継手１０ａにエルボ管２０が接続されている。これによれば、本形態例のような散水用の給水栓などの構成として適切に利用できる。
【００２５】
また、本形態例の係合部材３０は、接続口部１１を形成する周壁部１１ａに設けられた貫通ねじ部１４に螺合されて、接続口部１１内へ先端部が突起できるねじ部材３０である。なお、このねじ部材３０としては、例えば、本形態例のようになべ小ねじを用いることができる。これによれば、このような簡易な構成で、本形態例のような給水栓を適切に構成できる。
【００２６】
本形態例の給水栓１０が、散水に用いられるもので、散水を行わないときは折り畳んだ状態で、地面に埋められた収納ボックス６０内に収納されるように、接続管部材２０の止水栓部５０側が起立状態と水平に倒れた状態の間で回動可能に被係合周溝２３の角度範囲が設定されている。これによれば、散水用の給水栓として好適に用いることができる。
【００２７】
また、本形態例では図９に示すように、収納ボックス６０側に設けられた被係合切欠き部６１に、止水栓部５０側の直管部５３が嵌り込むことで止水栓部５０側の管路が起立した状態を維持できるように設けられ、その止水栓部５０側の直管部５３が被係合切欠き部６１に確実に嵌り込むように止水栓部５０側の直管部５３に環状弾性部材５５が巻かれた状態に配されている。
【００２８】
また、本形態例のエルボ接続継手１０ａにあっては、図５及び６に示すように、下端側に固定用のフランジ部１０ｂと水道管の本管側に接続される連結ねじ部１０ｃが設けられ、上端の開口が栓蓋１５によって塞がれた形態となっている。本発明の給水栓はこれに限定されず、エルボ接続継手１０ａの給水路を開閉する開閉弁の構成を、栓蓋１５に替えて装着して設けてもよい。
【００２９】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３０】
１０  給水管（水道管）
１０ａ  エルボ接続継手
１０ｂ  フランジ部
１０ｃ  連結ねじ部
１１  接続口部
１１ａ  周壁部
１２  雌ねじ部
１３  水密部
１４  貫通ねじ部
１５  栓蓋
２０  接続管部材（エルボ管）
２０ａ  連結部
２１  一端部
２１ａ  周面
２２  雄ねじ部
２３  被係合周溝
３０  係合部材（ねじ部材）
３１  先端部
４０  Ｏ−リング
５０  止水栓部
５１  アングル形止水栓
５２  地下散水栓ニップル
５３  直管部
５５  環状弾性部材
６０  収納ボックス
６１  被係合切欠き部
【図１】
2015086541.tif 000003
【図２】
2015086541.tif 000004
【図３】
2015086541.tif 000005
【図４】
2015086541.tif 000006
【図５】
2015086541.tif 000007
【図６】
2015086541.tif 000008
【図７】
2015086541.tif 000009
【図８】
2015086541.tif 000010
【図９】
2015086541.tif 000011